【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
内面および外面を有するシート材料、ならびに、折り曲げられてサウンドボックスの上部、上部フラップ、側壁、および底部を形成させる複数の折目を含む、カバーアセンブリと、
基部および複数のボックス壁を含み、前記側壁の前記内面に取り付けられた第１のボックス壁、前記第１のボックス壁に取り付けられた一対の第２のボックス壁、および、前記第１のボックス壁の反対側で前記第２のボックス壁に取り付けられた第３のボックス壁によって形成され、２つの容器に分ける内壁をさらに含み、当該内壁がこれ自体に隙間をさらに含み、前記基部が前記底部の前記内面に取り付けられている、内部ボックスアセンブリと、
内面および外面を有するシート材料を含み、１つ以上の区画および１つ以上のタブが形成されるよう折り曲げられ、一の区画が前記１つ以上の区画のうちの第１の区画であり、前記サウンドボックスの上部の内面に取り付けられ、前記第１の区画内に含まれる開口部が、前記第１の区画内の光センサに光が入るのを可能にする、区画アセンブリと、
印刷回路基板、コントローラおよびサウンドチップを含む集積回路、スピーカ、光センサ、ならびに電源を含み、前記印刷回路基板、前記サウンドチップ、前記スピーカ、前記光センサ、および前記電源が、電気的に接続している、サウンドモジュールアセンブリと、
前記第１の区画内に配置されたフレームアセンブリと、を有し、
前記サウンドモジュールアセンブリは、前記フレームアセンブリ内に保持され、前記光センサは、前記第１の区画の開口部に近接して並べられ、前記上部フラップが持ち上げられて前記サウンドボックスが光の方へ開けられたとき、光は前記光センサに入り、前記サウンドチップに、そこに録音されている音を再生させる、サウンドボックス。
【請求項２】
前記上部フラップが、マグネットクロージャをさらに含む、請求項１に記載のサウンドボックス。
【請求項３】
前記第３のボックス壁が、前記マグネットクロージャと磁気相互作用するための金属片を含む、請求項２に記載のサウンドボックス。
【請求項４】
前記第１の区画の壁が、第２の開口部をさらに含み、前記スピーカが前記第２の開口部に近接して配置されている、請求項１〜請求項３のうちのいずれか１つに記載のサウンドボックス。
【請求項５】
前記上部フラップに近接する前記１つ以上の区画のうちの第２の区画の端部が、前記タブによって閉じられている、請求項１〜請求項４のうちのいずれか１つに記載のサウンドボックス。
【請求項６】
前記側壁に近接する前記１つ以上の区画のうちの第２の区画の端部が、前記タブによって閉じられている、請求項１〜請求項４のうちのいずれか１つに記載のサウンドボックス。
【請求項７】
前記内壁は２つの内壁に分けられ、当該２つの内壁は互いに離されている、請求項１〜請求項６のうちのいずれか１つに記載のサウンドボックス。
【請求項８】
前記録音されている音は、赤ん坊の泣き声、猫の鳴き声、犬の鳴き声、「ハッピーバースデー」、「記念日おめでとう」、「おめでとう」、ライオンのうなり声、狼の遠吠えからなる群から選択される、請求項１〜請求項７のうちのいずれか１つに記載のサウンドボックス。
【請求項９】
前記サウンドボックスの上部が閉じられているとき、前記１つ以上の区画は、前記内部ボックスアセンブリ内に受けられている、請求項１〜請求項８のうちのいずれか１つに記載のサウンドボックス。
【請求項１０】
前記上部フラップは、前記内部ボックスアセンブリの側部の長さにわたる長さを有する、請求項１〜請求項９のうちのいずれか１つに記載のサウンドボックス。
【請求項１１】
内面および外面を有するシート材料、ならびに、折り曲げられてサウンドボックスの上部、上部フラップ、側壁、および底部を形成させる複数の折目を含み、前記上部フラップが、前記サウンドボックスを閉じるための手段をさらに含み、当該閉じるための手段が、マグネットクロージャである、カバーアセンブリと、
基部および複数のボックス壁を含み、前記ボックス壁が、互いに取り付けられてボックス構造を形成するとともに、前記基部に取り付けられて内部ボックスアセンブリを形成し、第１のボックス壁が、前記側壁の前記内面に取り付けられ、第３のボックス壁が、前記第１のボックス壁の反対側にあるとともに、前記マグネットクロージャと磁力によって相互作用する金属片をさらに含み、前記内部ボックスアセンブリが、前記内部ボックスアセンブリを２つの容器に分ける内壁をさらに含み、当該内壁がこれ自体に隙間をさらに有し、前記基部が前記底部の前記内面に取り付けられている、前記内部ボックスアセンブリと、
内面および外面を有するシート材料を含み、１つ以上の区画および１つ以上のタブが形成されるよう折り曲げられ、一の区画が前記１つ以上の区画のうちの第１の区画であり、前記サウンドボックスの上部の内面に取り付けられ、前記第１の区画内に含まれる開口部が、前記第１の区画内の光センサに光が入るのを可能にする、区画アセンブリと、
前記第１の区画内に配置されたフレームアセンブリと、
印刷回路基板、コントローラおよびサウンドチップを含む集積回路、スピーカ、光センサ、ならびに電源を含み、前記印刷回路基板、前記サウンドチップ、前記スピーカ、前記光センサ、および前記電源が、電気的に接続している、サウンドモジュールアセンブリと、を有し、
前記サウンドモジュールアセンブリは、前記フレームアセンブリ内に保持され、前記光センサは、前記第１の区画の開口部に近接して並べられ、前記上部フラップが持ち上げられて前記サウンドボックスが光の方へ開けられたとき、光は前記光センサに入り、前記サウンドチップに、そこに録音されている音を再生させる、サウンドボックス。
【請求項１２】
前記第１の区画の壁が、第２の開口部をさらに含み、前記スピーカが前記第２の開口部に近接して配置されている、請求項１１に記載のサウンドボックス。
【請求項１３】
前記上部フラップに近接する前記１つ以上の区画のうちの第２の区画の端部が、前記タブによって閉じられている、請求項１１または請求項１２に記載のサウンドボックス。
【請求項１４】
前記側壁に近接する前記１つ以上の区画のうちの第２の区画の端部が、前記タブによって閉じられている、請求項１１または請求項１２に記載のサウンドボックス。
【請求項１５】
前記内壁は２つの内壁に分けられ、当該２つの内壁は互いに離されている、請求項１１〜請求項１４のうちのいずれか１つに記載のサウンドボックス。
【請求項１６】
前記録音されている音は、赤ん坊の泣き声、猫の鳴き声、犬の鳴き声、「ハッピーバースデー」、「記念日おめでとう」、「おめでとう」、ライオンのうなり声、狼の遠吠えからなる群から選択される、請求項１１〜請求項１５のうちのいずれか１つに記載のサウンドボックス。
【請求項１７】
内面および外面を有するシート材料を折り曲げ、サウンドボックスの上部、マグネットクロージャを有する上部フラップ、側壁、および底部にすることによって、前記シート材料および複数の折目から、カバーアセンブリを準備する工程と、
基部および複数のボックス壁から、前記ボックス壁を互いに取り付けてボックス構造を形成するとともに、前記基部に前記ボックス構造を取り付けて内部ボックスアセンブリを形成し、前記内部ボックスアセンブリ内に、内壁を配置することによって、前記内部ボックスアセンブリを２つ以上の容器に分け、前記内壁はそれ自体に隙間をさらに有しており、第１のボックス壁を、前記側壁の前記内面に取り付け、第３のボックス壁は、前記第１のボックス壁の反対側にあるとともに、前記マグネットクロージャと磁力によって相互作用する金属片をさらに含み、前記基部を前記底部の前記内面に取り付けることによって、前記内部ボックスアセンブリを形成する工程と、
内面および外面を有するシート材料を含み、１つ以上の区画および１つ以上のタブが形成されるよう折り曲げられ、一の区画が第１の区画であり、前記第１の区画がそれ自体に開口部を有し、前記開口部が前記第１の区画に光が入るのを可能にする、区画アセンブリから、１つ以上の区画を準備する工程と、
前記サウンドボックスの上部の内面に前記１つ以上の区画を取り付ける工程と、
印刷回路基板、コントローラおよびサウンドチップを含む集積回路、スピーカ、光センサ、ならびに電源を含み、前記印刷回路基板、前記サウンドチップ、マイク、前記スピーカ、前記光センサ、および前記電源が、電気的に接続しているサウンドモジュールアセンブリを、フレームアセンブリ内に配置する工程と、
前記光センサが開口部に近接して並んでいる前記第１の区画内に、前記フレームアセンブリを配置する工程と、を含む、サウンドボックスの組み立て方法。
【請求項１８】
前記サウンドチップに録音する工程をさらに含む、請求項１７に記載のサウンドボックスの組み立て方法。
【請求項１９】
前記録音される音は、赤ん坊の泣き声、猫の鳴き声、犬の鳴き声、「ハッピーバースデー」、「記念日おめでとう」、「おめでとう」、ライオンのうなり声、狼の遠吠えからなる群から選択される、請求項１８に記載のサウンドボックスの組み立て方法。
【請求項２０】
前記サウンドモジュールアセンブリを、前記サウンドボックスの上部の内面に取り付ける工程をさらに含む、請求項１７〜請求項１９のうちのいずれか１つに記載のサウンドボックスの組み立て方法。
【手続補正２】
【補正対象書類名】明細書
【補正対象項目名】０００１
【補正方法】変更
【補正の内容】
【０００１】
発明の分野
本発明の実施形態は、物品を収容するためのサウンドボックスに関し、ボックスが開けられたときに録音を再生する、光によって作動するサウンドモジュールを含む。音は、サウンドボックスの製作者によって選ばれたあらゆる音にでき、動物、および／または、環境音、音楽、祝辞、他の種類の音声記録、ベル、笛等と多岐にわたることができる。
【手続補正３】
【補正対象書類名】明細書
【補正対象項目名】０００２
【補正方法】削除
【補正の内容】